(57)【特許請求の範囲】
【請求項１】
表示手段と、操作手段と、選択項目の詳細な説明を記憶する記憶手段と、前記表示手段の表示を制御する制御手段と、を備え、
前記制御手段は、
選択項目名が表示され１つの選択項目を選択する選択表示画面と、選択されている前記選択項目の選択項目名および該選択項目の詳細な説明が表示される詳細説明画面と、を前記表示手段に表示させる機能を有し、
前記表示手段に前記選択表示画面が表示された状態において、少なくとも第１の操作、第２の操作、第３の操作が可能であり、
前記操作手段により説明要求に係る第１の操作をされることにより、前記表示手段に表示させる画面を前記選択表示画面から選択されている前記選択項目の前記詳細説明画面に遷移させ、
前記操作手段により選択に係る第２の操作をされることにより、選択されている前記選択項目を他の選択項目に遷移させ、
前記操作手段により設定の決定に係る第３の操作をされることにより、選択されている前記選択項目を決定し、
前記表示手段に前記詳細説明画面が表示された状態において、少なくとも前記第２の操作、前記第３の操作が可能であり、
前記操作手段により選択に係る前記第２の操作をされることにより、他の選択項目名および該他の選択項目の詳細な説明が表示される他の詳細説明画面に遷移させ、
前記操作手段により設定の決定に係る前記第３の操作をされることにより、前記詳細説明画面に選択項目名および該選択項目の詳細な説明が表示された該選択項目を決定する
ことを特徴とする入力装置。
【請求項２】
請求項１に記載の入力装置を備えることを特徴とする給湯機。
【発明の詳細な説明】
【技術分野】
【０００１】
本発明は、入力装置およびこの入力装置を有する給湯機に関する。
【背景技術】
【０００２】
夜間の割引電気料金を利用してタンク内の湯水を加熱して貯留し、昼間の湯水使用時に蛇口を開いたとき、タンク内の高温水に常温水を混ぜて適温水として給湯する給湯機が知られている。このような給湯機は、多機能化するにつれ、設定項目が増加し、それを説明する取扱説明書の情報量も増加したものとなっている。
【０００３】
これに対し、特許文献１には、入力装置（リモコン）を操作しているときに、使用方法やメンテナンス情報を順番に表示する給湯装置が開示されている。
また、特許文献２には、リモコンの表示部に表示されるメニューの第１階層の画面に「取り扱い説明」の項目を備え、該項目を選択することにより、階層構造のマニュアルが表示されるリモコン装置が開示されている。
また、特許文献３には、操作説明を表示するマニュアルスイッチを備え、設定項目の選択画面が表示されている状態において、マニュアルスイッチを操作することにより、設定項目の説明画面が表示され、再度マニュアルスイッチを操作することにより、設定項目の選択画面に戻るリモコン装置が開示されている。
【先行技術文献】
【特許文献】
【０００４】
【特許文献１】特開２００８−２５６２３５号公報
【特許文献２】特開２００９−２１０２３０号公報
【特許文献３】特開２００９−２５３９４６号公報
【発明の概要】
【発明が解決しようとする課題】
【０００５】
しかしながら、特許文献１に開示された発明では、使用者が知りたい情報に適した情報が表示されない場合がある。また、特許文献２に開示された発明では、設定項目の選択画面中に、使用者にとって意義の理解できない項目がある場合、１階層目まで戻ってマニュアルを表示させ、適切な情報を使用者が探し出し、再度設定項目の選択画面まで戻らなければならず、操作性の向上が望まれている。また、特許文献３に開示された発明は、マニュアルスイッチを操作して説明画面を表示させた後、再度マニュアルスイッチを操作して設定項目の選択画面まで戻らなければならず、操作性の向上が望まれている。
【０００６】
そこで、本発明は、使用者が容易に機能を認知でき、操作性が向上した入力装置およびこの入力装置を有する給湯機を提供することを課題とする。
【課題を解決するための手段】
【０００７】
このような課題を解決するために、本発明は、表示手段と、操作手段と、選択項目の詳細な説明を記憶する記憶手段と、前記表示手段の表示を制御する制御手段と、を備え、前記制御手段は、選択項目名が表示され１つの選択項目を選択する選択表示画面と、選択されている前記選択項目の選択項目名および該選択項目の詳細な説明が表示される詳細説明画面と、を前記表示手段に表示させる機能を有し、前記表示手段に前記選択表示画面が表示された状態において、少なくとも第１の操作、第２の操作、第３の操作が可能であり、前記操作手段により説明要求に係る第１の操作をされることにより、前記表示手段に表示させる画面を前記選択表示画面から選択されている前記選択項目の前記詳細説明画面に遷移させ、前記操作手段により選択に係る第２の操作をされることにより、選択されている前記選択項目を他の選択項目に遷移させ、前記操作手段により設定の決定に係る第３の操作をされることにより、選択されている前記選択項目を決定し、前記表示手段に前記詳細説明画面が表示された状態において、少なくとも前記第２の操作、前記第３の操作が可能であり、前記操作手段により選択に係る前記第２の操作をされることにより、他の選択項目名および該他の選択項目の詳細な説明が表示される他の詳細説明画面に遷移させ、前記操作手段により設定の決定に係る前記第３の操作をされることにより、前記詳細説明画面に選択項目名および該選択項目の詳細な説明が表示された該選択項目を決定することを特徴とする入力装置である。
【発明の効果】
【０００８】
本発明によれば、使用者が容易に機能を認知でき、操作性が向上した入力装置およびこの入力装置を有する給湯機を提供することができる。
【図面の簡単な説明】
【０００９】
【図１】本実施形態に係る入力装置（台所リモコン）の外観図である。
【図２】本実施形態に係る入力装置（ふろリモコン）の外観図である。
【図３】本実施形態に係る入力装置の機能ブロック図である。
【図４】実施例１に係る入力装置の表示部に表示される画面遷移図である。
【図５】実施例２に係る入力装置の表示部に表示される画面遷移図である。
【図６】実施例３に係る入力装置の表示部に表示される画面遷移図である。
【図７】実施例４に係る入力装置の表示部に表示される画面遷移図である。
【図８】実施例５に係る入力装置の表示部に表示される画面遷移図である。
【発明を実施するための形態】
【００１０】
以下、本発明を実施するための形態（以下「実施形態」という）について、適宜図面を参照しながら詳細に説明する。なお、各図において、共通する部分には同一の符号を付し重複した説明を省略する。
【００１１】
図１は、本実施形態に係る入力装置（台所リモコン１０）の外観図である。
台所リモコン１０（入力装置）は、給湯装置（図示せず）の運転を指令したり設定を入力したりするための装置であり、表示部１１と、おしえてキー１２と、上キー１３ａ，下キー１３ｂ，右キー１３ｃ，左キー１３ｄからなる選択キー１３と、決定キー１４と、メニューキー１５と、を備えている。
図２は、本実施形態に係る入力装置（ふろリモコン２０）の外観図である。
ふろリモコン２０（入力装置）は、台所リモコン１０と同様に、給湯装置（図示せず）の運転を指令したり設定を入力したりするための装置であり、表示部２１と、おしえてキー２２と、上キー２３ａ，下キー２３ｂ，右キー２３ｃ，左キー２３ｄからなる選択キー２３と、決定キー２４と、メニューキー２５と、を備えている。
【００１２】
表示部１１，２１は、ドットマトリクス方式の液晶表示器であり、例えば、２４ドット×２４ドットの文字を１文字として、横１３文字縦６行の計７８文字が表示可能である。また、図形や記号等を表示することが可能である。
【００１３】
おしえてキー１２，２２は、機能設定中に、より詳細な選択画面（後述する詳細説明画面１１０等）を表示部１１，２１に表示させるためのキーである。
【００１４】
選択キー１３，２３は、機能を選択する際に用いるキーである。
決定キー１４，２４は、入力が完了したときに設定内容を決定するためのキーである。
メニューキー１５，２５は、操作することにより、設定メニュー画面（図示せず）を表示部１１，２１に表示させるためのキーである。
【００１５】
図３は、本実施形態に係る入力装置（１０，２０）の機能ブロック図である。
入力装置（１０，２０）は、表示部１と、入力部２と、制御部３と、記憶部４と、通信部５と、を備えている。
表示部１は、台所リモコン１０の表示部１１（図１参照）に相当し、ふろリモコン２０においては、表示部２１（図２参照）に相当する。
入力部２は、台所リモコン１０のおしえてキー１２と、上キー１３ａ，下キー１３ｂ，右キー１３ｃ，左キー１３ｄからなる選択キー１３と、決定キー１４と、メニューキー１５と、に相当し、ふろリモコン２０においては、おしえてキー２２と、上キー２３ａ，下キー２３ｂ，右キー２３ｃ，左キー２３ｄからなる選択キー２３と、決定キー２４と、メニューキー２５と、に相当する。
【００１６】
制御部３は、表示部１、入力部２、記憶部４、および、通信部５と接続されており、入力部２からの入力を受け付け、その入力および記憶部４に記憶された情報に基づいて、表示部１の表示を制御するようになっている。
また、使用者が入力部２を操作して、入力装置（１０，２０）の入力対象である給湯機（図示せず）の設定が行われると、その設定を記憶部４に記憶するとともに、通信部５を介して、その設定を給湯機の制御部（図示せず）に送信するようになっている。
【００１７】
≪実施例１：沸き上げ設定≫
図４を用いて、実施例１に係る入力装置（１０，２０）について説明する。
図４に示す選択表示画面１００および詳細説明画面１１０，１２０，１３０は、台所リモコン１０（図１参照）の表示部１１、および／または、ふろリモコン２０（図２参照）の表示部２１に表示される画面である。
なお、以下の説明においては、台所リモコン１０（図１参照）の表示部１１に表示される画面であるものとして説明する。
【００１８】
使用者が台所リモコン１０のメニューキー１５を操作すると、制御部３（図３参照）は表示部１１に設定メニュー画面（図示せず）を表示させる。使用者が表示された設定メニュー画面（図示せず）の設定項目から「沸き上げ設定」を選択する操作をすると、制御部３は表示部１１に選択表示画面１００を表示させる。
なお、沸き上げ設定とは、電気料金が割引となる深夜時間帯に沸き上げる湯量の設定である。
【００１９】
図４の左側に示す選択表示画面１００には、反転処理されて表示される設定項目名１０１と、選択可能な選択項目１０２ａ，１０２ｂ，１０２ｃと、操作指示表示１０５と、が表示され、選択項目１０２ａ，１０２ｂ，１０２ｃのうち現在選択されている項目である被選択項目１０３が反転処理されて表示されている。
【００２０】
選択表示画面１００において、設定項目名１０１には「沸き上げ設定」と表示され、選択項目１０２ａには「おまかせ高温」と表示され、選択項目１０２ｂには「おまかせ低温」と表示され、選択項目１０２ｃには「たっぷり」と表示されている。そして、選択表示画面１００おいて、選択項目１０２ｂが被選択項目１０３として選択されている状態を示している。
【００２１】
また、操作指示表示１０５には、台所リモコン１０の選択キー１３および決定キー１４を示すアイコンが表示されており、使用者は操作指示表示１０５に表示されたアイコンと対応する選択キー１３または決定キー１４を用いて設定操作を行うことが理解できるようになっている。
【００２２】
使用者が選択キー１３を操作して選択項目１０２ａ，１０２ｂ，１０２ｃのいずれかを被選択項目１０３として選択し、決定キー１４を操作することにより、制御部３は設定項目名１０１に表示された設定項目を被選択項目１０３で確定する。
例えば、表示部１１に図４の左側に示す選択表示画面１００が表示されている状態において（即ち、選択項目１０２ｂが被選択項目１０３として選択されている状態において）、使用者が決定キー１４を操作することにより、制御部３は「沸き上げ設定」を「おまかせ低温」と設定し、その設定結果を記憶部４に記憶するとともに、通信部５を介して設定結果を給湯機の制御部（図示せず）に送信する。
【００２３】
図示は省略するが、選択項目１０２ａが被選択項目１０３として選択されている状態であれば、使用者が決定キー１４を操作することにより、制御部３は「沸き上げ設定」を「おまかせ高温」と設定し、その設定結果を記憶部４に記憶するとともに、通信部５を介して設定結果を給湯機の制御部（図示せず）に送信する。
また、選択項目１０２ｃが被選択項目１０３として選択されている状態であれば、使用者が決定キー１４を操作することにより、制御部３は「沸き上げ設定」を「たっぷり」と設定し、その設定結果を記憶部４に記憶するとともに、通信部５を介して設定結果を給湯機の制御部（図示せず）に送信する。
【００２４】
次に、特徴的な構成を説明する。表示部１１に選択表示画面１００が表示されている状態において（即ち、選択項目１０２ｂが被選択項目１０３として選択されている状態において）、使用者が台所リモコン１０のおしえてキー１２を操作することにより（第１の操作）、制御部３は表示部１１の表示画面を選択表示画面１００から詳細説明画面１１０に遷移する。
【００２５】
図４の右側中段に示す詳細説明画面１１０には、反転処理されて表示される設定項目名１０１と、反転処理されて表示される被選択項目１０３と、反転処理されて表示される説明表示１０４と、操作指示表示１０５と、が表示されている。
【００２６】
詳細説明画面１１０において、設定項目名１０１には「沸き上げ設定」と表示され、被選択項目１０３には「おまかせ低温」（選択項目１０２ｂ）と表示され、説明表示１０４には記憶部４に記憶された「おまかせ低温の説明」が表示されている。なお、説明表示１０４は、例えば、２４ドット×２４ドットの文字を１文字として、横１３文字縦３行の計３９文字以内で表示され、被選択項目１０３と対応することおよびその選択項目が選択されていることを使用者が視覚的に認識できるように、被選択項目１０３と同じく反転処理されて表示されている。なお、説明の文章が長い場合には、例えば、１６ドット×１６ドットの文字を１文字として、横２０文字縦７行の計１４０文字まで表示可能であってもよい。
【００２７】
また、選択表示画面１００で表示されていた選択項目１０２ａ，１０２ｂ，１０２ｃのうち被選択項目１０３として選択された項目（図４の右側中段に示す詳細説明画面１１０においては、選択項目１０２ｂ）以外の選択項目は、詳細説明画面１１０には表示されないようになっている。つまり、詳細説明画面１１０においては、選択表示画面１００の選択項目１０２ａ，１０２ｃは表示されないようになっている。
【００２８】
表示部１１に詳細説明画面１１０が表示されている状態において、使用者が上キー１３ａを操作することにより（第２の操作）、制御部３は表示部１１の表示画面を詳細説明画面１１０から詳細説明画面１２０に遷移する。
図４の右側上段に示す詳細説明画面１２０において、被選択項目１０３には「おまかせ高温」（選択項目１０２ａ）と表示され、説明表示１０４には記憶部４に記憶された「おまかせ高温の説明」が表示されている。
また、表示部１１に詳細説明画面１２０が表示されている状態において、使用者が下キー１３ｂを操作することにより（第２の操作）、制御部３は表示部１１の表示画面を詳細説明画面１２０から詳細説明画面１１０に遷移する。
【００２９】
表示部１１に詳細説明画面１１０が表示されている状態において、使用者が下キー１３ｂを操作することにより（第２の操作）、制御部３は表示部１１の表示画面を詳細説明画面１１０から詳細説明画面１３０に遷移する。
図４の右側下段に示す詳細説明画面１３０において、被選択項目１０３には「たっぷり」（選択項目１０２ｃ）と表示され、説明表示１０４には記憶部４に記憶された「たっぷりの説明」が表示されている。
また、表示部１１に詳細説明画面１３０が表示されている状態において、使用者が上キー１３ａを操作することにより（第２の操作）、制御部３は表示部１１の表示画面を詳細説明画面１３０から詳細説明画面１１０に遷移する。
【００３０】
このように、上キー１３ａまたは下キー１３ｂの操作により、「おまかせ高温」「おまかせ低温」「たっぷり」が順々に切り替わる。
【００３１】
表示部１１に詳細説明画面１１０が表示されている状態において、使用者が決定キー１４を操作することにより（第３の操作）、制御部３は設定項目名１０１に表示された設定項目が被選択項目１０３で確定する。即ち、制御部３は「沸き上げ設定」を「おまかせ低温」と設定し、その設定結果を記憶部４に記憶するとともに、通信部５を介して設定結果を給湯機の制御部（図示せず）に送信する。
【００３２】
表示部１１に詳細説明画面１２０が表示されている状態において、使用者が決定キー１４を操作することにより（第３の操作）、制御部３は設定項目名１０１に表示された設定項目が被選択項目１０３で確定する。即ち、制御部３は「沸き上げ設定」を「おまかせ高温」と設定し、その設定結果を記憶部４に記憶するとともに、通信部５を介して設定結果を給湯機の制御部（図示せず）に送信する。
【００３３】
表示部１１に詳細説明画面１３０が表示されている状態において、使用者が決定キー１４を操作することにより（第３の操作）、制御部３は設定項目名１０１に表示された設定項目が被選択項目１０３で確定する。即ち、制御部３は「沸き上げ設定」を「たっぷり」と設定し、その設定結果を記憶部４に記憶するとともに、通信部５を介して設定結果を給湯機の制御部（図示せず）に送信する。
【００３４】
なお、実施例１において、選択表示画面１００で選択項目１０２ｂが被選択項目１０３として選択されている状態において、使用者がおしえてキー１２を操作することにより（第１の操作）、制御部３は表示部１１の表示画面を選択表示画面１００から詳細説明画面１１０に遷移するものとして説明したが、これに限られるものではない。
選択表示画面１００で選択項目１０２ａ〜１０２ｃのうち、被選択項目１０３となっているものに応じて表示が変わる。
即ち、選択表示画面１００で選択項目１０２ａが被選択項目１０３として選択されている状態（図示せず）であれば、使用者がおしえてキー１２を操作することにより、制御部３は表示部１１の表示画面を選択表示画面（図示せず）から詳細説明画面１２０に遷移する。
また、選択表示画面１００で選択項目１０２ｃが被選択項目１０３として選択されている状態（図示せず）であれば、使用者がおしえてキー１２を操作することにより、制御部３は表示部１１の表示画面を選択表示画面（図示せず）から詳細説明画面１３０に遷移する。
【００３５】
＜実施例１の作用・効果＞
実施例１に係る入力装置（１０，２０）の作用・効果について説明する。なお、符号は括弧書きで示す。
選択表示画面（１００）に表示される選択項目（１０２ａ，１０２ｂ，１０２ｃ）の名称（おまかせ高温、おまかせ低温、たっぷり）だけでは、内容が判り難く、どの程度の沸き上げ運転を行うのか、どの程度のお湯を沸かすことができるのかが不明である。
このため、従来の入力装置においては、別途取扱説明書等を参照しながら沸き上げ設定を行わなければならなかった。
【００３６】
これに対し、実施例１に係る入力装置（１０，２０）は、使用者がおしえてキー（１２，２２）を操作することにより（第１の操作）、選択表示画面（１００）から詳細説明画面（１１０，１２０，１３０）に遷移するようになっている。詳細説明画面（１１０，１２０，１３０）には、被選択項目（１０３）の説明が説明表示（１０４）として表示される。
これにより、使用者は別途取扱説明書等を参照しなくても、適切な沸き上げ設定を選択することができる。
【００３７】
また、詳細説明画面（１１０，１２０，１３０）において、使用者が選択キー（１３，２３）を操作することにより（第２の操作）、被選択項目（１０３）を他の選択項目（１０２ａ，１０２ｂ，１０２ｃ）に切り替えることができるようになっている。また、被選択項目（１０３）を切り替えた際、説明表示（１０４）には切り替えられた被選択項目（１０３）の説明が表示されるようになっている。
これにより、使用者は選択表示画面（１００）に戻ることなく各選択項目（１０２ａ，１０２ｂ，１０２ｃ）の説明を閲覧することができるため、操作性の向上した入力装置（１０，２０）となっている。
【００３８】
そして、詳細説明画面（１１０，１２０，１３０）において使用者が決定キー（１４，２４）を操作することにより（第３の操作）、選択表示画面（１００）に戻ることなく詳細設定項目名（１０１）に表示された設定項目を被選択項目（１０３）で確定することができるため、操作性の向上した入力装置（１０，２０）となっている。
【００３９】
また、詳細説明画面（１１０，１２０，１３０）において、設定項目名（１０１）と、被選択項目（１０３）と、説明表示（１０４）とが反転処理されて表示されることにより、使用者には、詳細説明画面（１１０，１２０，１３０）においても被選択項目（１０３）として表示されている選択項目が選択されており、使用者が決定キー（１４，２４）を操作することにより、そのまま設定を決定することが可能であることを視覚的に分かりやすく知らせる効果がある。
【００４０】
≪実施例２：電力契約設定≫
図５を用いて、実施例２に係る入力装置（１０，２０）について説明する。
図５に示す選択表示画面２００および詳細説明画面２１０，２２０は、台所リモコン１０（図１参照）の表示部１１、および／または、ふろリモコン２０（図２参照）の表示部２１に表示される画面である。
なお、以下の説明においては、台所リモコン１０（図１参照）の表示部１１に表示される画面であるものとして説明する。
【００４１】
使用者が台所リモコン１０のメニューキー１５（ふろリモコン２０のメニューキー２５）を操作すると、制御部３（図３参照）は表示部１１に設定メニュー画面（図示せず）を表示させる。使用者が表示された設定メニュー画面（図示せず）の設定項目から「電力契約設定」を選択する操作をすると、制御部３は表示部１１に選択表示画面２００を表示させる。
なお、電力契約設定とは、使用者が契約している電力会社のプランの設定である。
【００４２】
図５の左側に示す選択表示画面２００には、反転処理されて表示される設定項目名２０１と、反転処理されて表示される契約番号２０３と、操作指示表示２０５と、が表示されている。
【００４３】
選択表示画面２００において、設定項目名２０１には「電力契約設定」と表示され、契約番号２０３には「０７」と表示されている。なお、操作指示表示２０５は、実施例１の操作指示表示１０５（図４参照）と同様であり説明を省略する。
ここで、契約番号とは、給湯機の運転パターンを定める番号であり、電力会社のプランの名称とは異なるものである。
【００４４】
使用者は、別途取扱説明書等を参照して電力会社のプランから契約番号を特定し、選択キー１３を操作して契約番号２０３を選択して、決定キー１４を操作することにより、制御部３は設定項目名２０１に表示された設定項目を契約番号２０３で確定する。
例えば、表示部１１に図５の左側に示す選択表示画面２００が表示されている状態において、使用者が決定キー１４を操作することにより、制御部３は「電力契約設定」を「契約番号：０７」と設定し、その設定結果を記憶部４に記憶するとともに、通信部５を介して設定結果を給湯機の制御部（図示せず）に送信する。
【００４５】
次に、特徴的な構成を説明する。表示部１１に選択表示画面２００が表示されている状態において、使用者が台所リモコン１０のおしえてキー１２を操作することにより（第１の操作）、制御部３は表示部１１の表示画面を選択表示画面２００から詳細説明画面２１０に遷移する。
【００４６】
図５の右側上段に示す詳細説明画面２１０には、反転処理されて表示される設定項目名２０１と、反転処理されて表示される契約番号２０３と、説明表示２０４と、操作指示表示２０５と、が表示されている。
【００４７】
詳細説明画面２１０において、設定項目名２０１には「電力契約設定」と表示され、契約番号２０３には「０７」と表示され、説明表示２０４には記憶部４に記憶された「契約番号：０７」と対応する電力会社のプランの名称が表示されている。
【００４８】
表示部１１に詳細説明画面２１０が表示されている状態において、使用者が下キー１３ｂを操作することにより（第２の操作）、制御部３は表示部１１の表示画面を詳細説明画面２１０から詳細説明画面２２０に遷移する。
図５の右側下段に示す詳細説明画面２２０において、契約番号２０３には「０６」と表示され、説明表示２０４には記憶部４に記憶された「契約番号：０６」と対応する電力会社のプランの名称が表示されている。
また、表示部１１に詳細説明画面２２０が表示されている状態において、使用者が上キー１３ａを操作することにより（第２の操作）、制御部３は表示部１１の表示画面を詳細説明画面２２０から詳細説明画面２１０に遷移する。
このように、使用者が選択キー１３を操作することにより（第２の操作）、契約番号２０３を選択することができ、選択した契約番号２０３と対応する電力会社のプランの名称が説明表示２０４に表示されるようになっている。
【００４９】
表示部１１に詳細説明画面２１０，２２０が表示されている状態において、使用者が決定キー１４を操作することにより（第３の操作）、制御部３は設定項目名２０１に表示された設定項目を契約番号２０３で確定する。
例えば、詳細説明画面２１０において、制御部３は「電力契約設定」を「契約番号：０７」と設定し、その設定結果を記憶部４に記憶するとともに、通信部５を介して設定結果を給湯機の制御部（図示せず）に送信する。また、詳細説明画面２２０において、制御部３は「電力契約設定」を「契約番号：０６」と設定し、その設定結果を記憶部４に記憶するとともに、通信部５を介して設定結果を給湯機の制御部（図示せず）に送信する。
【００５０】
＜実施例２の作用・効果＞
実施例２に係る入力装置（１０，２０）の作用・効果について説明する。なお、符号は括弧書きで示す。
各電力会社のプランによって電気料金が安くなる深夜の時間帯が異なるため、使用者は入力装置（１０，２０）を用いて、使用者が契約している電力会社のプランに合わせて電力契約を設定する必要がある。
しかしながら、選択表示画面（２００）に表示される契約番号（２０３）は、電力会社のプランの名称とは異なるものである。
このため、従来の入力装置においては、別途取扱説明書等を参照しながら電力契約設定を行わなければならなかった。
【００５１】
これに対し、実施例２に係る入力装置（１０，２０）は、使用者がおしえてキー（１２，２２）を操作することにより（第１の操作）、選択表示画面（２００）から詳細説明画面（２１０，２２０）に遷移するようになっている。詳細説明画面（２１０，２２０）には、契約番号（２０３）と対応する電力会社のプランの名称が説明表示（２０４）に表示されるようになっている。
これにより、使用者は別途取扱説明書等を参照しなくても、適切な電力契約設定を選択することができる。
【００５２】
また、詳細説明画面（２１０，２２０）において、使用者が選択キー（１３，２３）を操作することにより（第２の操作）、契約番号（２０３）を他の番号に切り替えることができるようになっている。また、契約番号（２０３）を切り替えた際、説明表示（２０４）には切り替えられた後の契約番号（２０３）と対応する電力会社のプランの名称が表示されるようになっている。
これにより、使用者は選択表示画面（２００）に戻ることなく他の契約番号（２０３）と対応する電力会社のプランの名称を閲覧することができるため、操作性の向上した入力装置（１０，２０）となっている。
【００５３】
そして、詳細説明画面（２１０，２２０）において使用者が決定キー（１４，２４）を操作することにより（第３の操作）、選択表示画面（２００）に戻ることなく詳細設定項目名（１０１）に表示された設定項目を契約番号（２０３）で確定することができるため、操作性の向上した入力装置（１０，２０）となっている。
【００５４】
また、詳細説明画面（２１０，２２０）において、設定項目名（２０１）と、契約番号（２０３）とが反転処理されて表示されることにより、使用者には、詳細説明画面（２１０，２２０）においても契約番号（２０３）として表示されている契約番号が選択されており、使用者が決定キー（１４，２４）を操作することにより、そのまま設定を決定することが可能であることを視覚的に分かりやすく知らせる効果がある。
【００５５】
≪実施例３：湯切れ防止≫
図６を用いて、実施例３に係る入力装置（１０，２０）について説明する。
図６に示す選択表示画面３００および詳細説明画面３１０，３２０，３３０は、台所リモコン１０（図１参照）の表示部１１、および／または、ふろリモコン２０（図２参照）の表示部２１に表示される画面である。
なお、以下の説明においては、台所リモコン１０（図１参照）の表示部１１に表示される画面であるものとして説明する。
【００５６】
使用者が台所リモコン１０のメニューキー１５を操作すると、制御部３（図３参照）は表示部１１に設定メニュー画面（図示せず）を表示させる。使用者が表示された設定メニュー画面（図示せず）の設定項目から「湯切れ防止／節約設定」を選択する操作をすると、制御部３は表示部１１に選択表示画面３００を表示させる。
なお、湯切れ防止設定とは、湯切れを防止するために行われる沸き増し運転の設定である。
【００５７】
図６の左側に示す選択表示画面３００には、反転処理されて表示される設定項目名３０１と、選択可能な選択項目３０２ａ，３０２ｂ，３０２ｃと、操作指示表示３０５と、が表示され、選択項目３０２ａ，３０２ｂ，３０２ｃのうち現在選択されている項目である被選択項目３０３が反転処理されて表示されている。
【００５８】
選択表示画面３００において、設定項目名３０１には「湯切れ防止／節約設定」と表示され、選択項目３０２ａには「切」と表示され、選択項目３０２ｂには「少量」と表示され、選択項目３０２ｃには「全量」と表示されている。そして、選択表示画面３００おいて、選択項目３０２ｃが被選択項目３０３として選択されている状態を示している。なお、操作指示表示３０５は、実施例１の操作指示表示１０５（図４参照）と同様であり説明を省略する。
【００５９】
使用者が選択キー１３を操作して選択項目３０２ａ，３０２ｂ，３０２ｃのいずれかを被選択項目３０３として選択し、決定キー１４を操作することにより、制御部３は設定項目名３０１に表示された設定項目を被選択項目３０３で確定する。
例えば、表示部１１に図６の左側に示す選択表示画面３００が表示されている状態において（即ち、選択項目３０２ｃが被選択項目３０３として選択されている状態において）、使用者が決定キー１４を操作することにより、制御部３は「湯切れ防止」を「全量」と設定し、その設定結果を記憶部４に記憶するとともに、通信部５を介して設定結果を給湯機の制御部（図示せず）に送信する。
【００６０】
図示は省略するが、選択項目３０２ａが被選択項目３０３として選択されている状態であれば、使用者が決定キー１４を操作することにより、制御部３は「湯切れ防止」を「切」と設定し、その設定結果を記憶部４に記憶するとともに、通信部５を介して設定結果を給湯機の制御部（図示せず）に送信する。
また、選択項目３０２ｂが被選択項目３０３として選択されている状態であれば、使用者が決定キー１４を操作することにより、制御部３は「湯切れ防止」を「少量」と設定し、その設定結果を記憶部４に記憶するとともに、通信部５を介して設定結果を給湯機の制御部（図示せず）に送信する。
【００６１】
次に、特徴的な構成を説明する。表示部１１に選択表示画面３００が表示されている状態において（即ち、選択項目３０２ｃが被選択項目３０３として選択されている状態において）、使用者が台所リモコン１０のおしえてキー１２を操作することにより（第１の操作）、制御部３は表示部１１の表示画面を選択表示画面３００から詳細説明画面３１０に遷移する。
【００６２】
図６の右側上段に示す詳細説明画面３１０には、反転処理されて表示される設定項目名３０１と、反転処理されて表示される被選択項目３０３と、反転処理されて表示される説明表示３０４と、操作指示表示３０５と、が表示されている。
【００６３】
詳細説明画面３１０において、設定項目名３０１には「湯切れ防止／節約設定」と表示され、被選択項目３０３には「全量」（選択項目３０２ｃ）と表示され、説明表示３０４には記憶部４に記憶された「全量の説明」が表示されている。なお、説明表示３０４は、被選択項目３０３と対応することおよびその選択項目が選択されていることを使用者が視覚的に認識できるように、被選択項目３０３と同じく反転処理されて表示されている。
【００６４】
また、選択表示画面３００で表示されていた選択項目３０２ａ，３０２ｂ，３０２ｃのうち被選択項目３０３として選択された項目（図６の右側上段に示す詳細説明画面３１０においては、選択項目３０２ｂ）以外の選択項目は、詳細説明画面３１０には表示されないようになっている。つまり、詳細説明画面３１０においては、選択表示画面３００の選択項目３０２ａ，３０２ｃは表示されないようになっている。
【００６５】
表示部１１に詳細説明画面３１０が表示されている状態において、使用者が左キー１３ｄを操作することにより（第２の操作）、制御部３は表示部１１の表示画面を詳細説明画面３１０から詳細説明画面３２０に遷移する。
図６の右側中段に示す詳細説明画面３２０において、被選択項目３０３には「少量」（選択項目３０２ｂ）と表示され、説明表示３０４には記憶部４に記憶された「少量の説明」が表示されている。
【００６６】
表示部１１に詳細説明画面３２０が表示されている状態において、使用者が左キー１３ｄを操作することにより（第２の操作）、制御部３は表示部１１の表示画面を詳細説明画面３２０から詳細説明画面３３０に遷移する。
図６の右側下段に示す詳細説明画面３３０において、被選択項目３０３には「切」（選択項目３０２ａ）と表示され、説明表示３０４には記憶部４に記憶された「切の説明」が表示されている。
【００６７】
表示部１１に詳細説明画面３３０が表示されている状態において、使用者が左キー１３ｄを操作することにより（第２の操作）、制御部３は表示部１１の表示画面を詳細説明画面３３０から詳細説明画面３１０に遷移する。
【００６８】
表示部１１に詳細説明画面３１０が表示されている状態において、使用者が右キー１３ｃを操作することにより（第２の操作）、制御部３は表示部１１の表示画面を詳細説明画面３１０から詳細説明画面３３０に遷移する。
また、表示部１１に詳細説明画面３３０が表示されている状態において、使用者が右キー１３ｃを操作することにより（第２の操作）、制御部３は表示部１１の表示画面を詳細説明画面３３０から詳細説明画面３２０に遷移する。
また、表示部１１に詳細説明画面３２０が表示されている状態において、使用者が右キー１３ｃを操作することにより（第２の操作）、制御部３は表示部１１の表示画面を詳細説明画面３２０から詳細説明画面３１０に遷移する。
【００６９】
このように、右キー１３ｃまたは左キー１３ｄの操作により、「全量」「少量」「切」が順々に切り替わる。
【００７０】
表示部１１に詳細説明画面３１０が表示されている状態において、使用者が決定キー１４を操作することにより（第３の操作）、制御部３は設定項目名３０１に表示された設定項目が被選択項目３０３で確定する。即ち、制御部３は「湯切れ防止」を「全量」と設定し、その設定結果を記憶部４に記憶するとともに、通信部５を介して設定結果を給湯機の制御部（図示せず）に送信する。
【００７１】
表示部１１に詳細説明画面３２０が表示されている状態において、使用者が決定キー１４を操作することにより（第３の操作）、制御部３は設定項目名３０１に表示された設定項目が被選択項目３０３で確定する。即ち、制御部３は「湯切れ防止」を「少量」と設定し、その設定結果を記憶部４に記憶するとともに、通信部５を介して設定結果を給湯機の制御部（図示せず）に送信する。
【００７２】
表示部１１に詳細説明画面３３０が表示されている状態において、使用者が決定キー１４を操作することにより（第３の操作）、制御部３は設定項目名３０１に表示された設定項目が被選択項目３０３で確定する。即ち、制御部３は「湯切れ防止」を「切」と設定し、その設定結果を記憶部４に記憶するとともに、通信部５を介して設定結果を給湯機の制御部（図示せず）に送信する。
【００７３】
なお、実施例３において、選択表示画面３００で選択項目３０２ｃが被選択項目３０３として選択されている状態において、使用者がおしえてキー１２を操作することにより（第１の操作）、制御部３は表示部１１の表示画面を選択表示画面３００から詳細説明画面３１０に遷移するものとして説明したが、これに限られるものではない。
選択表示画面３００で選択項目３０２ａ〜３０２ｃのうち、被選択項目３０３となっているものに応じて表示が変わる。
即ち、選択表示画面３００で選択項目３０２ｂが被選択項目３０３として選択されている状態（図示せず）であれば、使用者がおしえてキー１２を操作することにより、制御部３は表示部１１の表示画面を選択表示画面（図示せず）から詳細説明画面３２０に遷移する。
また、選択表示画面３００で選択項目３０２ａが被選択項目３０３として選択されている状態（図示せず）であれば、使用者がおしえてキー１２を操作することにより、制御部３は表示部１１の表示画面を選択表示画面（図示せず）から詳細説明画面３３０に遷移する。
【００７４】
＜実施例３の作用・効果＞
実施例３に係る入力装置（１０，２０）の作用・効果について説明する。なお、符号は括弧書きで示す。
選択表示画面（３００）に表示される選択項目（３０２ａ，３０２ｂ，３０２ｃ）の名称（切、少量、全量）だけでは、内容が判り難く、どの程度の沸き増し運転を行うのか不明である。
このため、従来の入力装置においては、別途取扱説明書等を参照しながら湯切れ防止設定を行わなければならなかった。
【００７５】
これに対し、実施例３に係る入力装置（１０，２０）は、使用者がおしえてキー（１２，２２）を操作することにより（第１の操作）、選択表示画面（３００）から詳細説明画面（３１０，３２０，３３０）に遷移するようになっている。詳細説明画面（３１０，３２０，３３０）には、被選択項目（３０３）の説明が説明表示（３０４）として表示される。
これにより、使用者は別途取扱説明書等を参照しなくても、適切な湯切れ防止設定を選択することができる。
【００７６】
また、詳細説明画面（３１０，３２０，３３０）において、使用者が選択キー（１３，２３）を操作することにより（第２の操作）、被選択項目（３０３）を他の選択項目（３０２ａ，３０２ｂ，３０２ｃ）に切り替えることができるようになっている。また、被選択項目（３０３）を切り替えた際、説明表示（３０４）には切り替えられた被選択項目（３０３）の説明が表示されるようになっている。
これにより、使用者は選択表示画面（３００）に戻ることなく各選択項目（３０２ａ，３０２ｂ，３０２ｃ）の説明を閲覧することができるため、操作性の向上した入力装置（１０，２０）となっている。
【００７７】
そして、詳細説明画面（３１０，３２０，３３０）において使用者が決定キー（１４，２４）を操作することにより（第３の操作）、選択表示画面（３００）に戻ることなく詳細設定項目名（３０１）に表示された設定項目を被選択項目（３０３）で確定することができるため、操作性の向上した入力装置（１０，２０）となっている。
【００７８】
また、詳細説明画面（３１０，３２０，３３０）において、設定項目名（３０１）と、被選択項目（３０３）と、説明表示（３０４）とが反転処理されて表示されることにより、使用者には、詳細説明画面（３１０，３２０，３３０）においても被選択項目（３０３）として表示されている選択項目が選択されており、使用者が決定キー（１４，２４）を操作することにより、そのまま設定を決定することが可能であることを視覚的に分かりやすく知らせる効果がある。
【００７９】
≪実施例４：節約設定≫
図７を用いて、実施例４に係る入力装置（１０，２０）について説明する。
図７に示す選択表示画面４００および詳細説明画面４１０，４２０は、台所リモコン１０（図１参照）の表示部１１、および／または、ふろリモコン２０（図２参照）の表示部２１に表示される画面である。
なお、以下の説明においては、台所リモコン１０（図１参照）の表示部１１に表示される画面であるものとして説明する。
【００８０】
使用者が台所リモコン１０のメニューキー１５（ふろリモコン２０のメニューキー２５）を操作すると、制御部３（図３参照）は表示部１１に設定メニュー画面（図示せず）を表示させる。使用者が表示された設定メニュー画面（図示せず）の設定項目から「湯切れ防止／節約設定」を選択し、実施例３で示した湯切れ防止を設定する操作をすると、制御部３は表示部１１に選択表示画面４００を表示させる。
なお、節約設定とは、電気料金が割引となる深夜時間帯開始時間から所定時間の間沸き増し運転を休止して電気料金を節約する設定である。
【００８１】
図７の左側に示す選択表示画面４００には、反転処理されて表示される設定項目名４０１と、反転処理されて表示される節約設定時間４０３と、操作指示表示４０５と、が表示されている。
【００８２】
選択表示画面４００において、設定項目名４０１には「湯切れ防止／節約設定」と表示され、節約設定時間４０３には「３」と表示されている。なお、操作指示表示４０５は、実施例１の操作指示表示１０５（図４参照）と同様であり説明を省略する。
【００８３】
使用者は、選択キー１３を操作して節約設定時間４０３を選択して、決定キー１４を操作することにより、制御部３は設定項目名４０１に表示された設定項目を節約設定時間４０３で確定する。
例えば、表示部１１に図７の左側に示す選択表示画面４００が表示されている状態において、使用者が決定キー１４を操作することにより、制御部３は「節約設定」を「深夜時間帯までの３時間は沸き上げしない」と設定し、その設定結果を記憶部４に記憶するとともに、通信部５を介して設定結果を給湯機の制御部（図示せず）に送信する。
【００８４】
次に、特徴的な構成を説明する。表示部１１に選択表示画面４００が表示されている状態において、使用者が台所リモコン１０のおしえてキー１２を操作することにより（第１の操作）、制御部３は表示部１１の表示画面を選択表示画面４００から詳細説明画面４１０に遷移する。
【００８５】
図７の右側上段に示す詳細説明画面４１０には、反転処理されて表示される設定項目名４０１と、反転処理されて表示される節約設定時間４０３と、説明表示４０４と、操作指示表示４０５と、が表示されている。
【００８６】
詳細説明画面４１０において、設定項目名４０１には「湯切れ防止／節約設定」と表示され、節約設定時間４０３には「３」と表示され、説明表示４０４には記憶部４に記憶された「節約設定時間４０３を３時間としたときの説明」が表示されている。
【００８７】
表示部１１に詳細説明画面４１０が表示されている状態において、使用者が下キー１３ｂを操作することにより（第２の操作）、制御部３は表示部１１の表示画面を詳細説明画面４１０から詳細説明画面４２０に遷移する。
図７の右側下段に示す詳細説明画面４２０において、節約設定時間４０３には「２」と表示され、説明表示４０４には記憶部４に記憶された「節約設定時間４０３を２時間としたときの説明」が表示されている。
また、表示部１１に詳細説明画面４２０が表示されている状態において、使用者が上キー１３ａを操作することにより（第２の操作）、制御部３は表示部１１の表示画面を詳細説明画面４２０から詳細説明画面４１０に遷移する。
このように、使用者が選択キー１３を操作することにより（第２の操作）、節約設定時間４０３を選択することができ、選択した節約設定時間４０３と対応する説明が説明表示４０４に表示されるようになっている。
【００８８】
表示部１１に詳細説明画面４１０，４２０が表示されている状態において、使用者が決定キー１４を操作することにより（第３の操作）、制御部３は設定項目名４０１に表示された設定項目を節約設定時間４０３で確定する。
例えば、詳細説明画面４１０において、制御部３は「節約設定」を「３時間」と設定し、その設定結果を記憶部４に記憶するとともに、通信部５を介して設定結果を給湯機の制御部（図示せず）に送信する。また、詳細説明画面４２０において、制御部３は「節約設定」を「２時間」と設定し、その設定結果を記憶部４に記憶するとともに、通信部５を介して設定結果を給湯機の制御部（図示せず）に送信する。
【００８９】
＜実施例４の作用・効果＞
実施例４に係る入力装置（１０，２０）の作用・効果について説明する。なお、符号は括弧書きで示す。
節約設定により設定される節約設定時間（４０３）の間は、沸き増し運転を休止して、電気料金を節約するものであるが、この時間帯において湯切れが発生するおそれがある。
しかしながら、選択表示画面（４００）のみでは沸き増し運転を休止する時間帯（湯切れが発生するおそれのある時間帯）を使用者が容易に理解することができなかった。
【００９０】
これに対し、実施例４に係る入力装置（１０，２０）は、使用者がおしえてキー（１２，２２）を操作することにより（第１の操作）、選択表示画面（４００）から詳細説明画面（４１０，４２０）に遷移するようになっている。詳細説明画面（４１０，４２０）には、節約設定時間（４０３）としたときの沸き増し運転を休止する時間帯が説明表示（４０４）に表示されるようになっている。
これにより、使用者は沸き増し運転を休止する時間帯（湯切れが発生するおそれのある時間帯）を容易に理解することができ、適切な節約設定を選択することができる。
【００９１】
また、詳細説明画面（４１０，４２０）において、使用者が選択キー（１３，２３）を操作することにより（第２の操作）、節約設定時間（４０３）を他の時間に切り替えることができるようになっている。また、節約設定時間（４０３）を切り替えた際、説明表示（４０４）には切り替えられた後の節約設定時間（４０３）としたときの沸き増し運転を休止する時間帯が表示されるようになっている。
これにより、使用者は選択表示画面（４００）に戻ることなく他の節約設定時間（４０３）としたときの沸き増し運転を休止する時間帯を閲覧することができるため、操作性の向上した入力装置（１０，２０）となっている。
【００９２】
そして、詳細説明画面（４１０，４２０）において使用者が決定キー（１４，２４）を操作することにより（第３の操作）、選択表示画面（４００）に戻ることなく詳細設定項目名（４０１）に表示された設定項目を節約設定時間（４０３）で確定することができるため、操作性の向上した入力装置（１０，２０）となっている。
【００９３】
また、詳細説明画面（４１０，４２０）において、設定項目名（４０１）と、節約設定時間（４０３）とが反転処理されて表示されることにより、使用者には、詳細説明画面（４１０，４２０）においても節約設定時間（４０３）として表示されている契約番号が選択されており、使用者が決定キー（１４，２４）を操作することにより、そのまま設定を決定することが可能であることを視覚的に分かりやすく知らせる効果がある。
【００９４】
≪実施例５：点検表示≫
図８を用いて、実施例５に係る入力装置（１０，２０）について説明する。
図８に示す点検表示画面５００および詳細説明画面５１０は、台所リモコン１０（図１参照）の表示部１１、および／または、ふろリモコン２０（図２参照）の表示部２１に表示される画面である。
なお、以下の説明においては、台所リモコン１０（図１参照）の表示部１１に表示される画面であるものとして説明する。
【００９５】
制御部３は異常を検知すると、表示部１１に点検表示画面５００を表示させる。
図８の左側に示す点検表示画面５００には、点検表示５０１と、操作指示表示５０５と、が表示されている。
点検表示画面５００において、点検表示５０１には「ふろ栓確認」と表示されている。なお、操作指示表示５０５は、実施例１の操作指示表示１０５（図４参照）と同様であり説明を省略する。
【００９６】
使用者が点検表示画面５００の点検表示５０１に基づいて点検対象に適切な処置をした後、決定キー１４を操作することにより、制御部３は表示部１１の表示画面を点検表示画面５００から通常の表示画面（図示せず）に遷移する。
【００９７】
また、表示部１１に点検表示画面５００が表示されている状態において、使用者が台所リモコン１０のおしえてキー１２を操作することにより（第１の操作）、制御部３は表示部１１の表示画面を点検表示画面５００から詳細説明画面５１０に遷移する。
【００９８】
図８の右側に示す詳細説明画面５１０には、説明表示５０４と、操作指示表示５０５と、が表示されている。
詳細説明画面５１０において、説明表示５０４には記憶部４に記憶された「点検表示５０１の説明」が表示されている。
【００９９】
これにより、使用者が詳細説明画面５１０の説明表示５０４に基づいて点検対象に適切な処置をした後、決定キー１４を操作することにより（第３の操作）、制御部３は表示部１１の表示画面を詳細説明画面５１０から通常の表示画面（図示せず）に遷移する。
【０１００】
＜実施例５の作用・効果＞
実施例５に係る入力装置（１０，２０）の作用・効果について説明する。なお、符号は括弧書きで示す。
点検表示画面（５００）に表示される点検表示（５０１）の名称（ふろ栓確認）だけでは、内容が判り難く、使用者がどのような処置を行えばよいか判り難くなっている。
このため、従来の入力装置においては、別途取扱説明書等を参照しながら点検表示に対応する処置を行わなければならなかった。
【０１０１】
これに対し、実施例５に係る入力装置（１０，２０）は、使用者がおしえてキー（１２，２２）を操作することにより（第１の操作）、点検表示画面（５００）から詳細説明画面（５１０）に遷移するようになっている。詳細説明画面（５１０）には、点検表示（５０１）の説明が説明表示（５０４）として表示される。
これにより、使用者は別途取扱説明書等を参照しなくても、適切な処置を行うことができる。
【０１０２】
そして、詳細説明画面（５１０）において使用者が決定キー（１４，２４）を操作することにより（第３の操作）、点検表示画面（５００）に戻ることなく通常の表示画面（図示せず）に遷移することができるため、操作性の向上した入力装置（１０，２０）となっている。
なお、点検表示画面（５００）または詳細説明画面（５１０）において、決定キー（１４，２４）を操作することにより、通常の表示画面（図示せず）に遷移するものとして説明したが、これに限られるものではなく、決定キー（１４，２４）を操作することにより、点検対象を再点検し、問題が解消されたことを確認した後に通常の表示画面（図示せず）に遷移する構成であってもよい。
【０１０３】
≪変形例≫
なお、実施例１から実施例５を用いて、本実施形態に係る入力装置（１０，２０）について説明したが、上記実施形態の構成に限定されるものではなく、発明の趣旨を逸脱しない範囲内で種々の変更が可能である。
入力装置は、給湯機（図示せず）の台所リモコン１０（図１参照）、ふろリモコン２０（図２参照）として説明したが、これに限られるものではなく、給湯機（図示せず）と一体に設けられた入力装置であってもよい。
また、入力装置の入力対象は給湯機（図示せず）として説明したが、これに限られるものではなく、例えば、氷蓄熱システムや空気調和機であってもよい。
【符号の説明】
【０１０４】
１          表示部（表示手段）
２          入力部（操作手段）
３          制御部（制御手段）
４          記憶部（記憶手段）
５          通信部
１０        台所リモコン（入力装置）
２０        ふろリモコン（入力装置）
１１，２１  表示部
１２，２２  おしえてキー
１３，２３  選択キー
１４，２４  決定キー
１５，２５  メニューキー
１００，２００，３００，４００  選択表示画面
５００      点検表示画面
１１０，１２０，１３０，２１０，２２０，３１０，３２０，３３０，４１０，４２０，５１０  詳細説明画面
１０１，２０１，３０１，４０１  設定項目名
５０１      点検表示
１０２ａ，１０２ｂ，１０２ｃ，３０２ａ，３０２ｂ，３０２ｃ  選択項目
１０３，３０３  被選択項目
２０３      契約番号（被選択項目）
４０３      節約設定時間（被選択項目）
１０４，２０４，３０４，４０４，５０４  説明表示（詳細な説明）
１０５，２０５，３０５，４０５，５０５  操作指示表示
【図１】
0005615773.tif 000002
【図２】
0005615773.tif 000003
【図３】
0005615773.tif 000004
【図４】
0005615773.tif 000005
【図５】
0005615773.tif 000006
【図６】
0005615773.tif 000007
【図７】
0005615773.tif 000008
【図８】
0005615773.tif 000009